(57)【特許請求の範囲】
【請求項１】
移動機が接続される加入者交換機と、インターネットに接続され、前記移動機へ情報を提供する情報提供サーバと、前記加入者交換機と前記情報提供サーバとの間の多重化された各伝送路上の複数の関門交換機と、関門交換機選択サーバとを有する移動通信システムにおいて、
前記複数の関門交換機における各関門交換機と前記情報提供サーバとの間を接続する伝送路は専用回線であり、
前記関門交換機選択サーバは、
前記移動機と前記情報提供サーバとの間の通信に利用される関門交換機を前記複数の関門交換機の中から選択する関門交換機選択手段と、
前記関門交換機選択手段による関門交換機の選択結果を前記加入者交換機に通知する関門交換機選択結果通知手段と、
を備え、
前記加入者交換機は、
前記関門交換機選択手段により選択された関門交換機との間に通信経路を設定する通信経路設定手段を備え、
前記移動機と前記情報提供サーバとの通信が前記関門交換機選択手段により選択された関門交換機を介して行われるようにした移動通信システム。
【請求項２】
請求項１に記載の移動通信システムにおいて、
前記関門交換機選択サーバは、
前記加入者交換機から前記関門交換機を介して前記情報提供サーバに至る伝送路における障害を認識する障害認識手段を備え、
前記関門交換機選択手段は、前記障害検出手段により障害が認識された伝送路上の関門交換機以外の関門交換機を選択するようにした移動通信システム。
【請求項３】
請求項１又は２に記載の移動通信システムにおいて、
前記関門交換機選択サーバは、
前記各関門交換機の選択比率を設定する関門交換機選択比率設定手段を備え、
前記関門交換機選択手段は、前記関門交換機選択比率設定手段により設定された選択比率に応じて、前記各関門交換機を選択するようにした関門交換機選択サーバ。
【請求項４】
請求項３に記載の移動通信システムにおいて、
前記各関門交換機の選択比率は、当該各関門交換機における通信可能容量の比率である移動通信システム。
【請求項５】
請求項３に記載の移動通信システムにおいて、
前記各関門交換機の選択比率は、当該各関門交換機における通信可能容量から使用中の通信容量を差し引いた差の比率である移動通信システム。
【請求項６】
請求項１ないし５のうちいずれか１項に記載の移動通信システムにおいて、
前記加入者交換機は、前記移動機の識別情報と、前記情報提供サーバの識別情報と、前記選択された関門交換機の識別情報とが対応付けられたプロファイルを作成し、当該プロファイルに基づき前記加入者交換機と前記選択された関門交換機との間に前記通信経路を設定する移動通信システム。
【請求項７】
移動機が接続される加入者交換機と、インターネットに接続され、前記移動機へ情報を提供する情報提供サーバと、前記加入者交換機と前記情報提供サーバとの間の多重化された各伝送路上の複数の関門交換機とを有し、前記複数の関門交換機における各関門交換機と前記情報提供サーバとの間を接続する伝送路が専用回線である移動通信システムにおける関門交換機選択サーバにおいて、
前記移動機と前記情報提供サーバとの間の通信に利用される前記関門交換機を前記複数の関門交換機の中から選択する関門交換機選択手段と、
前記関門交換機選択手段による関門交換機の選択結果を前記加入者交換機に通知する関門交換機選択結果通知手段と、
を備え、前記加入者交換機において当該加入者交換機と前記関門交換機選択手段により選択された関門交換機との間に通信経路が設定されるようにした関門交換機選択サーバ。
【請求項８】
請求項７に記載の関門交換機選択サーバにおいて、
前記加入者交換機は、前記移動機の識別情報と、前記情報提供サーバの識別情報と、前記選択された関門交換機の識別情報とが対応付けられたプロファイルを作成し、当該プロファイルに基づき前記加入者交換機と前記選択された関門交換機との間に前記通信経路を設定する関門交換機選択サーバ。
【請求項９】
移動機が接続される加入者交換機と、インターネットに接続され、前記移動機へ情報を提供する情報提供サーバと、前記加入者交換機と前記情報提供サーバとの間の多重化された各伝送路上の複数の関門交換機と、関門交換機選択サーバとを有し、前記複数の関門交換機における各関門交換機と前記情報提供サーバとの間を接続する伝送路が専用回線である移動通信システムにおける関門交換機選択方法において、
前記関門交換機選択サーバが、前記移動機と前記情報提供サーバとの間の通信に利用される前記関門交換機を前記複数の関門交換機の中から選択し、関門交換機の選択結果を前記加入者交換機に通知し、
前記加入者交換機が、当該加入者交換機と前記選択された関門交換機との間に通信経路を設定し、
前記移動機と前記情報提供サーバとの通信が前記選択した関門交換機を介して行われるようにした関門交換機選択方法。
【請求項１０】
請求項９に記載の関門交換機選択方法において、
前記加入者交換機は、前記移動機の識別情報と、前記情報提供サーバの識別情報と、前記選択された関門交換機の識別情報とが対応付けられたプロファイルを作成し、当該プロファイルに基づき前記加入者交換機と前記選択された関門交換機との間に前記通信経路を設定する関門交換機選択方法。
【発明の詳細な説明】
【０００１】
【発明の属する技術分野】
本発明は、関門交換機及び加入者交換機を介して移動機へ情報を提供する情報提供サーバを有する移動通信システム、当該移動通信システムにおける関門交換機選択サーバ及び関門交換機選択方法に関する。
【０００２】
【従来の技術】
近年、移動機に対し、インターネット上の情報等、各種情報を提供するサービスが行われている。図１２は、従来の情報提供サービスを実現する移動通信システムの構成例を示す図である。同図において、移動機５１０は、無線アクセスネットワーク（ＮＷ）５２０、加入者交換機５３０及び関門交換機５４０を介して情報提供サーバとしてのＩＳＰサーバ５５０にアクセスすることにより、当該ＩＳＰサーバ５５０内の各種の情報や当該ＩＳＰサーバ５５０に接続されたインターネット（Internet）５６０上の各種の情報を取得することができる。
【０００３】
【発明が解決しようとする課題】
しかし、上述した従来の移動通信システムでは、加入者交換機５３０から関門交換機５４０を介してＩＳＰサーバ５５０に至る伝送路は１つしかない。従って、この伝送路上で障害が発生すると、移動機５１０は、その障害が復旧するまで情報を取得することができなかった。
【０００４】
このため、加入者交換機５３０から関門交換機５４０を介してＩＳＰサーバ５５０に至る伝送路上で障害が発生した場合においても、移動機５１０が情報を取得することが可能な移動通信システムが要求されていた。
【０００５】
本発明は、上記問題点を解決するものであり、その目的は、加入者交換機から関門交換機を介して情報提供サーバに至る伝送路上で障害が発生した場合においても、移動機が情報を取得することが可能な移動通信システム、関門交換機選択サーバ及び関門交換機選択方法を提供することにある。
【０００６】
【課題を解決するための手段】
上記の目的を達成するため、本発明は請求項１に記載されるように、移動機が接続される加入者交換機と、インターネットに接続され、前記移動機へ情報を提供する情報提供サーバと、前記加入者交換機と前記情報提供サーバとの間の多重化された各伝送路上の複数の関門交換機と、関門交換機選択サーバとを有する移動通信システムにおいて、前記複数の関門交換機における各関門交換機と前記情報提供サーバとの間を接続する伝送路は専用回線であり、前記関門交換機選択サーバは、前記移動機と前記情報提供サーバとの間の通信に利用される関門交換機を前記複数の関門交換機の中から選択する関門交換機選択手段と、前記関門交換機選択手段による関門交換機の選択結果を前記加入者交換機に通知する関門交換機選択結果通知手段と、を備え、前記加入者交換機は、前記関門交換機選択手段により選択された関門交換機との間に通信経路を設定する通信経路設定手段を備え、前記移動機と前記情報提供サーバとの通信が前記関門交換機選択手段により選択された関門交換機を介して行われるようにした。
【０００７】
このような移動通信システムでは、加入者交換機から各関門交換機を介して情報提供サーバに至る複数の伝送路の状況に応じて通信経路を設定することができる。従って、これら複数の伝送路の何れかにおいて障害が発生した場合においても、移動機が情報を取得することが可能となる。
【０００８】
同様の観点から、本発明は請求項２に記載されるように、前記移動通信システムにおいて、前記関門交換機選択サーバは、前記加入者交換機から前記関門交換機を介して前記情報提供サーバに至る伝送路における障害を認識する障害検出手段を備え、前記関門交換機選択手段は、前記障害認識手段により障害が認識された伝送路上の関門交換機以外の関門交換機を選択するようにした。
【０００９】
また、本発明は請求項３に記載されるように、前記移動通信システムにおいて、前記関門交換機選択サーバは、前記各関門交換機の選択比率を設定する関門交換機選択比率設定手段を備え、前記関門交換機選択手段は、前記関門交換機選択比率設定手段により設定された選択比率に応じて、前記各関門交換機を選択するようにした。
【００１０】
このような移動通信システムでは、選択比率を適切な値に設定しておけば、複数の関門交換機を偏りなく選択することができ、できるだけ多くの呼を接続可能となるとともに、障害発生時における通信経路の設定のやり直しを少なくし、通信品質の向上とシステムにかかる負荷の軽減を図ることが可能となる。
【００１１】
同様の観点から、本発明は請求項４に記載されるように、前記移動通信システムにおいて、前記各関門交換機の選択比率は、当該各関門交換機における通信可能容量の比率とする。
【００１２】
更に同様の観点から、本発明は請求項５に記載されるように、前記移動通信システムにおいて、前記各関門交換機の選択比率は、当該各関門交換機における通信可能容量から使用中の通信容量を差し引いた差の比率とする。
【００１３】
また、請求項６に記載されるように、前記加入者交換機は、前記移動機の識別情報と、前記情報提供サーバの識別情報と、前記選択された関門交換機の識別情報とが対応付けられたプロファイルを作成し、当該プロファイルに基づき前記加入者交換機と前記選択された関門交換機との間に前記通信経路を設定するようにしてもよい。
請求項７、８に記載された発明は上述した移動通信システムに適した関門交換機選択サーバであり、請求項９、１０に記載された発明は上述した移動通信システムに適した関門交換機選択方法である。
【００１４】
【発明の実施の形態】
以下、本発明の実施の形態を図面に基づいて説明する。図１は、本発明の実施の形態に係る移動通信システムの構成例を示す図である。
【００１５】
同図において、移動機１１０は、無線アクセスネットワーク（ＮＷ）１２０、加入者交換機１３０、関門交換機（＃０）１４０、関門交換機（＃１）１４１を介して情報提供サーバとしてのＩＳＰサーバ１５０にアクセスすることにより、当該ＩＳＰサーバ１５０内の各種の情報や、当該ＩＳＰサーバ１５０に接続されたインターネット（Internet）１６０上の各種の情報を取得することができる。
【００１６】
この移動通信システムでは、関門交換機（＃０）１４０及び関門交換機（＃１）１４１を備えることにより、加入者交換機１３０から関門交換機（＃０）１４０を介してＩＳＰサーバ１５０に至る伝送路と、加入者交換機１３０から関門交換機（＃１）１４１を介してＩＳＰサーバ１５０に至る伝送路とが設定されている。即ち、加入者交換機１３０とＩＳＰサーバ１５０との間の伝送路が二重化されている。なお、関門交換機（＃０）１４０及び関門交換機（＃１）１４１とＩＳＰサーバ１５０とは専用回線により接続されている。
【００１７】
関門交換機選択サーバとしての関門交換機解決サーバ１７０は、移動機１１０とＩＳＰサーバ１５０との間の通信に利用される関門交換機を選択する。関門交換機の選択結果は、加入者交換機１３０へ送られる。加入者交換機１３０は、この選択された関門交換機との間に通信経路を設定し、移動機１１０からの信号を当該通信経路に伝送する。
【００１８】
また、関門交換機解決サーバ１７０は、加入者交換機１３０とＩＳＰサーバ１５０との間の二重化された伝送路上の障害を認識した場合には、その障害内容に応じて、再度関門交換機を選択する。この関門交換機の選択結果も同様に加入者交換機１３０へ送られる。加入者交換機１３０は、この選択された関門交換機との間に通信経路を設定する、即ち通信経路の切り替えを行い、移動機１１０からの信号を当該通信経路に伝送する。
【００１９】
関門交換機の選択方法としては、代表選択方式、非同期ラウンドロビン（round robin ）方式及び同期ラウンドロビン方式がある。以下、これら各選択方法を採用した場合の移動通信システムの動作を説明する。
【００２０】
まず、代表選択方式を採用した場合の移動通信システムの動作を説明する。図２は、代表選択方式を採用した場合の発信手順の一例を示す図である。関門交換機解決サーバ１７０は、ＩＳＰサーバ１５０と他のサーバ（図示せず）のそれぞれに対応する関門交換機を選択する。ＩＳＰサーバ１５０や他のサーバは、ＡＰＮ（Access Point Name ）により特定される。同図においては、ＩＳＰサーバ１５０のＡＰＮは「ａａａ＠ｎｅ．ｊｐ」であり、他のサーバのＡＰＮは「ｂｂｂ＠ｃｏ．ｊｐ」である。
【００２１】
ここでは、関門交換機解決サーバ１７０は、ＩＳＰサーバ１５０については関門交換機（＃０）１４０を選択し、他のサーバについては関門交換機（＃１）１４１を選択する。以下、代表選択方式において選択された関門交換機を代表関門交換機と称する。
【００２２】
移動機（＃０）１１０、移動機（＃１）１１１及び移動機（＃２）１１２のそれぞれは、所定の信号を送出する。これら所定の信号には、通信相手となるＩＳＰサーバ１５０あるいは他のサーバ（以下、これらをまとめて「情報提供サーバ」と称する）のＡＰＮが含まれている。ここでは、移動機（＃０）１１０及び移動機（＃１）１１１は、ＩＳＰサーバ１５０を通信相手とするため、発信信号には当該ＩＳＰサーバ１５０のＡＰＮが含まれることになる。また、移動機（＃２）１１２は、他のサーバを通信相手とするため、所定の信号には当該他のサーバのＡＰＮが含まれることになる。
【００２３】
移動機（＃０）１１０〜移動機（＃２）１１２のそれぞれから送出された所定の信号は、加入者交換機（＃０）１３０を介して関門交換機解決サーバ１７０へ送られる（手順（１））。
【００２４】
関門交換機解決サーバ１７０は、これら所定の信号を受信すると、当該発信信号に含まれるＡＰＮにより、移動機（＃０）１１０〜移動機（＃２）１１２の通信相手となる情報提供サーバを認識し、当該情報提供サーバに対応する代表関門交換機の識別情報（交換機ＩＤ）を加入者交換機（＃０）１３０へ送信する。
【００２５】
加入者交換機（＃０）１３０は、この代表関門交換機の交換機ＩＤを受信すると、移動機（＃０）１１０〜移動機（＃２）１１２のそれぞれについて、移動機ＩＤ、当該移動機の通信相手となる情報提供サーバのＡＰＮ、当該情報提供サーバに対応して選択された関門交換機の交換機ＩＤを対応付けたプロファイルを作成する（手順（２））。
【００２６】
ここでは、移動機（＃０）１１０については、その移動機ＩＤ（＃０）、通信相手であるＩＳＰサーバ１５０のＡＰＮ、当該ＩＳＰサーバ１５０に対応する代表関門交換機（＃０）１４０の交換機ＩＤ（＃０）が対応付けられたプロファイルが作成される。また、移動機（＃１）１１１については、その移動機ＩＤ（＃１）、通信相手であるＩＳＰサーバ１５０のＡＰＮ、当該ＩＳＰサーバ１５０に対応する代表関門交換機（＃０）１４０の交換機ＩＤ（＃０）が対応付けられたプロファイルが作成される。同様に、移動機（＃２）１１２については、その移動機ＩＤ（＃２）、通信相手である他のサーバのＡＰＮ、当該他のサーバに対応する代表関門交換機（＃１）１４１の交換機ＩＤ（＃１）が対応付けられたプロファイルが作成される。
【００２７】
次に、加入者交換機（＃０）１３０は、これら移動機（＃０）１１０〜移動機（＃２）１１２毎に作成したプロファイルに基づいて、関門交換機（＃０）１４０又は関門交換機（＃１）１４１との間に通信経路（パス）を設定する。また、関門交換機（＃０）１４０及び関門交換機（＃１）１４１は、移動機（＃０）１１０〜移動機（＃２）１１２の移動機ＩＤとこれら各移動機に払い出されたＩＰアドレス（移動機払い出しＩＰアドレス）との対応テーブルを作成する（手順（３））。
【００２８】
ここでは、移動機（＃０）１１０及び移動機（＃１）１１１とＩＳＰサーバ１５０との通信用として、加入者交換機（＃０）１３０と関門交換機（＃０）１４０との間にパスが設定され、移動機（＃２）１１２と他のサーバとの通信用として、加入者交換機（＃０）１３０と関門交換機（＃１）１４１との間にパスが設定される。なお、関門交換機（＃０）１４０及び関門交換機（＃１）１４１は、作成したテーブルの情報（移動機（＃０）１１０〜移動機（＃２）１１２の移動機ＩＤと移動機に払い出しＩＰアドレスとの対応情報）の全て又は一部をＩＳＰサーバ１５０及び他のサーバへ通知するようにしても良い。この場合には、ＩＳＰサーバ１５０及び他のサーバにより、これら通知される情報が管理される。
【００２９】
関門交換機（＃０）１４０又は関門交換機（＃１）１４１は、パスが設定されると、その旨を移動機（＃０）１１０〜移動機（＃２）１１２へ通知する（手順（４））。以上の動作により、移動機（＃０）１１０〜移動機（＃２）１１２とＩＳＰサーバ１５０あるいは他のサーバとの通信が可能となる。
【００３０】
図３は、代表選択方式を採用した場合の着信手順の一例を示す図である。ＩＳＰサーバ１５０は、関門交換機（＃０）１４０に対し、発信時に所定の信号を送出する。この所定の信号には、当該ＩＳＰサーバ１５０のＡＰＮが含まれる。関門交換機（＃０）１４０は、受信した所定の信号を加入者交換機（＃０）１３０を介して、ＩＳＰサーバ１５０の通信相手となる移動機（＃０）１１０及び移動機（＃１）１１１の何れかへ送出する。（手順（０））
これら所定の信号を受信した移動機（＃０）１１０及び移動機（＃１）１１１の何れかは、加入者交換機（＃０）１３０を介して当該所定の信号に含まれるＡＰＮを含んだ信号を関門交換機解決サーバ１７０へ送出する（手順（１））。以降の手順（２）〜手順（４）の動作は、図２に示した発信手順における手順（２）〜手順（４）と同様である。
【００３１】
なお、代表関門交換機は固定されているため、手順（０）において、加入者交換機（＃０）１３０は、移動機ＩＤ、当該移動機の通信相手となる情報提供サーバのＡＰＮ、当該情報提供サーバに対応して選択された関門交換機の交換機ＩＤを対応付けたプロファイルを作成するようにしても良い。この場合には、手順（１）、（２）における加入者交換機（＃０）１３０から関門交換機解決サーバ１７０への要求、当該要求に対する関門交換機解決サーバ１７０の応答の手順は省略される。
【００３２】
図４及び図５は、代表選択方式を採用した場合の障害発生時の通信経路切り替え手順の一例を示す図である。図４において、移動機（＃０）１１０及び移動機（＃１）１１１とＩＳＰサーバ１５０との通信用として、加入者交換機（＃０）１３０と関門交換機（＃０）１４０との間にパスが設定されており、移動機（＃０）１１０及び移動機（＃１）１１１は、無線アクセスＮＷ１２０、加入者交換機（＃０）１３０及び関門交換機（＃０）１４０を介してＩＳＰサーバ１５０と通信を行っている。また、移動機（＃２）１１２とＩＳＰサーバ１５０との通信用として、加入者交換機（＃１）１３１と関門交換機（＃０）１４０との間にパスが設定されており、移動機（＃２）１１２は、無線アクセスＮＷ１２１、加入者交換機（＃１）１３１及び関門交換機（＃０）１４０を介してＩＳＰサーバ１５０と通信を行っている。
【００３３】
このような状態で関門交換機（＃０）１４０とＩＳＰサーバ１５０との間の伝送路で障害が発生した場合を考える。なお、ここでは伝送路とは関門交換機（＃０）１４０をも含む意味として用いている。
【００３４】
関門交換機（＃０）１４０、加入者交換機（＃０）１３０あるいは加入者交換機（＃１）１４１は、関門交換機（＃０）１４０とＩＳＰサーバ１５０との間の伝送路における障害を検出すると、その旨を関門交換機解決サーバ１７０へ通知する。なお、関門交換機解決サーバ１７０が自ら障害を検出するようにしても良い。
【００３５】
関門交換機解決サーバ１７０は、関門交換機（＃０）１４０あるいは加入者交換機（＃０）１３０、加入者交換機（＃１）１４１からの通知により、又は自らの障害検出により、関門交換機（＃０）１４０とＩＳＰサーバ１５０との間の伝送路における障害を認識すると、ＩＳＰサーバ１５０に対応する代表関門交換機を、関門交換機（＃０）１４０から関門交換機（＃１）１４１に変更する（手順（１））。
【００３６】
一方、ＩＳＰサーバ１５０においても、関門交換機（＃０）１４０とＩＳＰサーバ１５０との間の伝送路における障害の検出が行われており、ＩＳＰサーバ１５０は、当該障害を検出すると、移動機（＃０）１１０〜移動機（＃２）１１２との通信に用いられる通信経路（代表ルート）を、関門交換機（＃０）１４０に接続される通信経路から関門交換機（＃１）１４１に接続される通信経路に変更する（手順（２））。
【００３７】
また、関門交換機解決サーバ１７０は、手順（１）において代表関門交換機を変更した後、障害内容に応じて通信を切断する処理を行う。具体的には、関門交換機（＃０）１４０自体に障害が発生している場合には、関門交換機解決サーバ１７０は、当該関門交換機（＃０）１４０を介する全ての通信を切断する処理を行う。一方、関門交換機（＃０）１４０とＩＳＰサーバ１５０とを接続する専用回線に障害が発生している場合には、関門交換機解決サーバ１７０は、移動機とＩＳＰサーバ１５０との通信を切断する処理を行い、移動機と他のサーバ（図示せず）との通信についてはそのまま維持する。
【００３８】
次に図５を用いて説明する。関門交換機解決サーバ１７０は、変更後の代表関門交換機の交換機ＩＤを加入者交換機（＃０）１３０及び加入者交換機（＃１）１３１へ通知する。
【００３９】
加入者交換機（＃０）１３０は、この関門交換機の交換機ＩＤを受信すると、移動機（＃０）１１０及び移動機（＃１）１１１に対応するプロファイル内の関門交換機の交換機ＩＤを変更する（手順（４））。ここでは、交換機ＩＤは、関門交換機（＃０）１４０の交換機ＩＤ（＃０）から関門交換機（＃１）１４１の交換機ＩＤ（＃１）へ変更される。
【００４０】
同様に、加入者交換機（＃１）１３１は、関門交換機の交換機ＩＤを受信すると、移動機（＃２）１１２に対応するプロファイル内の関門交換機の交換機ＩＤを変更する（手順（４））。ここでは、交換機ＩＤは、関門交換機（＃０）１４０の交換機ＩＤ（＃０）から関門交換機（＃１）１４１の交換機ＩＤ（＃１）へ変更される。
【００４１】
次に  加入者交換機（＃０）１３０及び加入者交換機（＃１）１３１は、これら変更したプロファイルに基づいて、関門交換機（＃１）１４１との間に通信経路（パス）を設定する。以上の動作により、移動機（＃０）１１０〜移動機（＃２）１１２とＩＳＰサーバ１５０との通信が再度可能となる。
【００４２】
なお、ＩＳＰサーバ１５０が移動機ＩＤと移動機払い出しＩＰアドレスとを管理している場合には、ＩＳＰサーバ１５０は、障害検出後、これら管理している移動機ＩＤ移動機払い出しＩＰアドレスとを関門交換機（＃１）１４１へ通知する。一方、ＩＳＰサーバ１５０が移動機ＩＤと移動機払い出しＩＰアドレスとを管理していない場合には、関門交換機（＃０）１４０がこれら移動機ＩＤと移動機払い出しＩＰアドレスとを関門交換機（＃１）１４１へ通知する。また、ＩＳＰサーバ１５０が移動機ＩＤのみを管理している場合には、再度、移動機にＩＰアドレスを払い出す必要があるため、上述の着信手順と同様の手順により、ＩＳＰサーバ１５０が移動機払い出しＩＰアドレスを含めた信号を移動機へ送信するようにして、移動機払い出しＩＰアドレスを再度設定するようにしても良い（手順（５））。
【００４３】
次に、非同期ラウンドロビン方式を採用した場合の移動通信システムの動作を説明する。図６は、非同期ラウンドロビン方式を採用した場合の発信手順の一例を示す図である。
【００４４】
関門交換機解決サーバ１７０は、ＩＳＰサーバ１５０に対応する関門交換機を所定の選択比率で選択する。ここでは、関門交換機解決サーバ１７０は、ＩＳＰサーバ１５０について、関門交換機（＃０）１４０の通信可能容量（同時接続容量：２０００）及び関門交換機（＃１）１４１の通信可能容量（同時接続容量：１０００）を考慮し、関門交換機（＃０）１４０と関門交換機（＃１）１４１を２：１の選択比率で選択する。
【００４５】
移動機（＃０）１１０、移動機（＃１）１１１及び移動機（＃２）１１２のそれぞれは、通信相手となるＩＳＰサーバ１５０のＡＰＮを含んだ所定の信号を送出する。移動機（＃０）１１０及び移動機（＃１）１１１から送出された所定の信号は、無線アクセスＮＷ１２０及び加入者交換機（＃０）１３０を介して関門交換機解決サーバ１７０へ送られる（手順（１））。また、移動機（＃２）１１２から送出された所定の信号は、加入者交換機（＃１）１３１を介して関門交換機解決サーバ１７０へ送られる（手順（１））。
【００４６】
関門交換機解決サーバ１７０は、これら所定の信号を受信すると、当該発信信号に含まれるＡＰＮにより、移動機（＃０）１１０〜移動機（＃２）１１２の通信相手となる情報提供サーバがＩＳＰサーバ１５０であることを認識し、当該ＩＳＰサーバ１５０に対応する関門交換機の識別情報（交換機ＩＤ）を加入者交換機（＃０）１３０及び加入者交換機（＃１）１３１へ送信する。ここでは、関門交換機（＃０）１４０と関門交換機（＃１）１４１の選択比率が２：１であるため、関門交換機解決サーバ１７０は、移動機（＃０）１１０及び移動機（＃２）１１２からの所定の信号に対しては、関門交換機（＃０）１４０の交換機ＩＤを送信し、移動機（＃１）１１１からの所定の信号に対しては、関門交換機（＃１）１４１の交換機ＩＤを送信する。
【００４７】
加入者交換機（＃０）１３０は、関門交換機の交換機ＩＤを受信すると、移動機（＃０）１１０及び移動機（＃１）１１１について、移動機ＩＤ、当該移動機の通信相手となるＩＳＰサーバ１５０のＡＰＮ、当該ＩＳＰサーバ１５０に対応して選択された関門交換機の交換機ＩＤを対応付けたプロファイルを作成する（手順（２））。
【００４８】
同様に、加入者交換機（＃１）１３１は、関門交換機の交換機ＩＤを受信すると、移動機（＃２）１１２について、移動機ＩＤ、当該移動機の通信相手となるＩＳＰサーバ１５０のＡＰＮ、当該ＩＳＰサーバ１５０に対応して選択された関門交換機の交換機ＩＤを対応付けたプロファイルを作成する（手順（２））。
【００４９】
次に、加入者交換機（＃０）１３０は、作成したプロファイルに基づいて、関門交換機（＃０）１４０及び関門交換機（＃１）１４１との間にパスを設定する。同様に、加入者交換機（＃１）１３１は、作成したプロファイルに基づいて、関門交換機（＃０）１４０との間にパスを設定する。
【００５０】
これらパス設定の情報は、関門交換機（＃０）１４０及び関門交換機（＃１）１４１へ送られる。関門交換機（＃０）１４０は、パス決定の情報に基づいて、移動機（＃０）１１０及び移動機（＃１）１１１の移動機ＩＤと、これら移動機（＃０）１１０及び移動機（＃１）１１１に払い出されたＩＰアドレスとを対応付けたテーブルを作成する。同様に、関門交換機（＃１）１４１は、パス決定の情報に基づいて、移動機（＃２）１１２移動機ＩＤと、当該移動機（＃２）１１２に払い出されたＩＰアドレスとを対応付けたテーブルを作成する（手順（３））。
【００５１】
なお、関門交換機（＃０）１４０及び関門交換機（＃１）１４１は、作成したテーブルの情報（移動機（＃０）１１０〜移動機（＃２）１１２の移動機ＩＤと移動機に払い出しＩＰアドレスとの対応情報）の全て又は一部をＩＳＰサーバ１５０及び他のサーバへ通知するようにしても良い。この場合には、ＩＳＰサーバ１５０及び他のサーバにより、これら通知される情報が管理される。
【００５２】
関門交換機（＃０）１４０及び関門交換機（＃１）１４１は、移動機に払い出されたＩＰアドレス数が同時接続容量に達している場合には、その旨を加入者交換機（＃０）１３０あるいは加入者交換機（＃１）１３１へ通知する。加入者交換機（＃０）１３０あるいは加入者交換機（＃１）１３１は、この通知に応じて、移動機との通信を切断したり、プロファイル内の交換機ＩＤを、払い出されたＩＰアドレス数が同時接続容量に達していない関門交換機の交換機ＩＤに書き換えて、当該書き換え後のプロファイルに基づいてパスを設定する。
【００５３】
次に関門交換機（＃０）１４０及び関門交換機（＃１）１４１は、移動機ＩＤと当該移動機ＩＤに対応する移動機による通信用として選択された関門交換機の交換機ＩＤとをＩＳＰサーバ１５０へ通知する（手順（４））。ＩＳＰサーバ１５０は、この通知に基づき、移動機ＩＤと当該移動機ＩＤに対応する移動機による通信用として選択された関門交換機の交換機ＩＤとを対応付けたテーブルを生成する。
【００５４】
また、関門交換機（＃０）１４０及び関門交換機（＃１）１４１は、パスが設定されると、その旨を移動機（＃０）１１０〜移動機（＃２）１１２へ通知する（手順（５））。以上の動作により、移動機（＃０）１１０〜移動機（＃２）１１２とＩＳＰサーバ１５０との通信が可能となる。
【００５５】
図７は、非同期ラウンドロビン方式を採用した場合の着信手順の一例を示す図である。ＩＳＰサーバ１５０は、予め認識している関門交換機（＃０）１４０及び関門交換機（＃１）１４１の選択比率（２；１）に従い、関門交換機（＃０）１４０又は関門交換機（＃１）１４１に対し、発信時に所定の信号を送出する（手順（０））。なお、必ずしも、ＩＳＰサーバ１５０は、関門交換機（＃０）１４０及び関門交換機（＃１）１４１の選択比率を予め認識しておき、その選択比率に従って所定の信号を送出する必要はなく、適宜、関門交換機（＃０）１４０又は関門交換機（＃１）１４１に対し、所定の信号を送出してもよい。
【００５６】
この所定の信号には、当該ＩＳＰサーバ１５０のＡＰＮが含まれる。関門交換機（＃０）１４０又は関門交換機（＃１）１４１は、受信した所定の信号を加入者交換機（＃０）１３０を介して、ＩＳＰサーバ１５０の通信相手となる移動機（＃０）１１０〜移動機（＃２）１１２の何れかへ送出する。
【００５７】
なお、関門交換機（＃０）１４０又は関門交換機（＃１）１４１の何れかにおいて、移動機に払い出されたＩＰアドレス数が同時接続容量に達している場合には、ＩＳＰサーバ１５０は、自律的に他の関門交換機を選択し、当該関門交換機に対し、所定の信号を送出する。
【００５８】
この所定の信号を受信した移動機（＃０）１１０〜移動機（＃２）１１２の何れかは、当該所定の信号に含まれるＡＰＮを含んだ信号を関門交換機解決サーバ１７０へ送出する。以降の動作は、図６に示した発信手順における手順（１）〜手順（５）と同様である。
【００５９】
図８及び図９は、非同期ラウンドロビン方式を採用した場合の障害発生時の通信経路切り替え手順の一例を示す図である。図８において、移動機（＃０）１１０とＩＳＰサーバ１５０との通信用として加入者交換機（＃０）１３０と関門交換機（＃０）１４０との間にパスが設定され、及び移動機（＃１）１１１とＩＳＰサーバ１５０との通信用として加入者交換機（＃０）１３０と関門交換機（＃１）１４１との間にパスが設定されている。移動機（＃０）１１０は、無線アクセスＮＷ１２０、加入者交換機（＃０）１３０及び関門交換機（＃０）１４０を介してＩＳＰサーバ１５０と通信を行っており、移動機（＃１）１１１は、無線アクセスＮＷ１２０、加入者交換機（＃０）１３０及び関門交換機（＃１）１４１を介してＩＳＰサーバ１５０と通信を行っている。
【００６０】
また、移動機（＃２）１１２とＩＳＰサーバ１５０との通信用として、加入者交換機（＃１）１３１と関門交換機（＃０）１４０との間にパスが設定されており、移動機（＃２）１１２は、無線アクセスＮＷ１２１、加入者交換機（＃１）１３１及び関門交換機（＃０）１４０を介してＩＳＰサーバ１５０と通信を行っている。
【００６１】
このような状態で関門交換機（＃０）１４０とＩＳＰサーバ１５０との間の伝送路で障害が発生した場合を考える。なお、ここでは伝送路とは関門交換機（＃０）１４０をも含む意味として用いている。
【００６２】
関門交換機（＃０）１４０あるいは加入者交換機（＃０）１３０、加入者交換機（＃１）１４１は、関門交換機（＃０）１４０とＩＳＰサーバ１５０との間の伝送路における障害を検出すると、その旨を関門交換機解決サーバ１７０へ通知する。なお、関門交換機解決サーバ１７０が障害を検出するようにしても良い。
【００６３】
関門交換機解決サーバ１７０は、関門交換機（＃０）１４０あるいは加入者交換機（＃０）１３０、加入者交換機（＃１）１４１からの通知により、又は自らの障害検出により、関門交換機（＃０）１４０とＩＳＰサーバ１５０との間の伝送路における障害を認識すると、関門交換機（＃０）１４０と関門交換機（＃１）１４１との選択比率を０：１（関門交換機（＃０）１４０は不通）とする（手順（１））。
【００６４】
一方、ＩＳＰサーバ１５０においても、関門交換機（＃０）１４０とＩＳＰサーバ１５０との間の伝送路における障害の検出が行われており、ＩＳＰサーバ１５０は、当該障害を検出すると、関門交換機（＃０）１４０と関門交換機（＃１）１４１との選択比率を０：１（関門交換機（＃０）１４０は不通）とする（手順（２））。
【００６５】
また、関門交換機解決サーバ１７０は、手順（１）において関門交換機の選択比率を変更した後、障害内容に応じて通信を切断する処理を行う。具体的には、関門交換機（＃０）１４０自体に障害が発生している場合には、関門交換機解決サーバ１７０は、当該関門交換機（＃０）１４０を介する全ての通信を切断する処理を行う。一方、関門交換機（＃０）１４０とＩＳＰサーバ１５０とを接続する専用回線に障害が発生している場合には、関門交換機解決サーバ１７０は、移動機とＩＳＰサーバ１５０との通信を切断する処理を行い、移動機と他のサーバ（図示せず）との通信についてはそのまま維持する。
【００６６】
次に図９を用いて説明する。関門交換機解決サーバ１７０は、関門交換機（＃０）１４０と関門交換機（＃１）１４１との選択比率が０：１になった旨を加入者交換機（＃０）１３０及び加入者交換機（＃１）１３１へ通知する（手順（４））。
【００６７】
加入者交換機（＃０）１３０は、この通知に基づいて、移動機（＃０）１１０に対応するプロファイル内の関門交換機の交換機ＩＤを関門交換機（＃０）１４０の交換機ＩＤ（＃０）から関門交換機（＃１）１４１の交換機ＩＤ（＃１）へ変更する（手順（５））。
【００６８】
同様に、加入者交換機（＃１）１３１は、この通知に基づいて、移動機（＃２）１１２に対応するプロファイル内の関門交換機の交換機ＩＤを関門交換機（＃０）１４０の交換機ＩＤ（＃０）から関門交換機（＃１）１４１の交換機ＩＤ（＃１）へ変更する（手順（５））。
【００６９】
次に  加入者交換機（＃０）１３０及び加入者交換機（＃１）１３１は、これら変更したプロファイルに基づいて、関門交換機（＃１）１４１との間に通信経路（パス）を設定する（手順（６））。
【００７０】
これらパス設定の情報は、関門交換機（＃１）１４１へ送られる。関門交換機（＃１）１４１は、パス決定の情報に基づいて、移動機（＃０）１１０及び移動機（＃１）１１１の移動機ＩＤと、これら移動機（＃０）１１０及び移動機（＃１）１１１に払い出されたＩＰアドレスとを対応付けたテーブルを新たに作成する。
【００７１】
なお、ＩＳＰサーバ１５０が移動機ＩＤと移動機払い出しＩＰアドレスとを管理している場合には、ＩＳＰサーバ１５０は、障害検出後、これら管理している移動機ＩＤ移動機払い出しＩＰアドレスとを関門交換機（＃１）１４１へ通知する。一方、ＩＳＰサーバ１５０が移動機ＩＤと移動機払い出しＩＰアドレスとを管理していない場合には、関門交換機（＃０）１４０がこれら移動機ＩＤと移動機払い出しＩＰアドレスとを関門交換機（＃１）１４１へ通知する。また、ＩＳＰサーバ１５０が移動機ＩＤのみを管理している場合には、再度、移動機にＩＰアドレスを払い出す必要があるため、上述の着信手順と同様の手順により、ＩＳＰサーバ１５０が移動機払い出しＩＰアドレスを含めた信号を移動機へ送信するようにして、移動機払い出しＩＰアドレスを再度設定するようにしても良い。
【００７２】
次に関門交換機（＃１）１４１は、移動機ＩＤと当該移動機ＩＤに対応する移動機による通信用として選択された関門交換機の交換機ＩＤとをＩＳＰサーバ１５０へ通知する（手順（８））。ＩＳＰサーバ１５０は、この通知に基づき、移動機ＩＤと当該移動機ＩＤに対応する移動機による通信用として選択された関門交換機の交換機ＩＤとを対応付けたテーブルを新たに生成する（手順（９））。
【００７３】
また、関門交換機（＃０）１４０及び関門交換機（＃１）１４１は、パスが設定されると、その旨を移動機（＃０）１１０〜移動機（＃２）１１２へ通知する。以上の動作により、移動機（＃０）１１０〜移動機（＃２）１１２とＩＳＰサーバ１５０との通信が可能となる。
【００７４】
次に、同期ラウンドロビン方式を採用した場合の移動通信システムの動作を説明する。図１０は、同期ラウンドロビン方式を採用した場合の発信手順の一例を示す図である。
【００７５】
関門交換機解決サーバ１７０は、ＩＳＰサーバ１５０に対応する関門交換機を所定の選択比率で選択する。ここでは、関門交換機解決サーバ１７０は、関門交換機（＃０）１４０の同時接続容量（２０００）から払い出し済みの接続容量（１２００）を差し引いた差（８００）と、関門交換機（＃１）１４１の同時接続容量（１０００）から払い出し済みの接続容量（５００）を差し引いた差（５００）とを考慮し、関門交換機（＃０）１４０と関門交換機（＃１）１４１を８：５の選択比率で選択する。なお、払い出し済みの接続容量は、関門交換機（＃０）１４０及び関門交換機（＃１）１４１から随時関門交換機解決サーバ１７０へ通知される。
【００７６】
ここで、同時接続容量から払い出し済みの接続容量を差し引いた差がゼロの場合、関門交換機解決サーバ１７０は、対応する関門交換機の選択を、接続容量の払い出しが可能になるまで停止する。
【００７７】
移動機（＃０）１１０、移動機（＃１）１１１及び移動機（＃２）１１２のそれぞれは、通信相手となるＩＳＰサーバ１５０のＡＰＮを含んだ所定の信号を送出する。移動機（＃０）１１０及び移動機（＃１）１１１から送出された所定の信号は、無線アクセスＮＷ１２０及び加入者交換機（＃０）１３０を介して関門交換機解決サーバ１７０へ送られる（手順（１））。また、移動機（＃２）１１２から送出された所定の信号は、加入者交換機（＃１）１３１を介して関門交換機解決サーバ１７０へ送られる（手順（１））。
【００７８】
関門交換機解決サーバ１７０は、これら所定の信号を受信すると、当該発信信号に含まれるＡＰＮにより、移動機（＃０）１１０〜移動機（＃２）１１２の通信相手となる情報提供サーバがＩＳＰサーバ１５０であることを認識し、当該ＩＳＰサーバ１５０に対応する関門交換機の識別情報（交換機ＩＤ）を加入者交換機（＃０）１３０及び加入者交換機（＃１）１３１へ送信する。ここでは、関門交換機（＃０）１４０と関門交換機（＃１）１４１の選択比率が８：５であるため、関門交換機解決サーバ１７０は、当該選択比率を考慮し、移動機（＃０）１１０及び移動機（＃２）１１２からの所定の信号に対しては、関門交換機（＃０）１４０の交換機ＩＤを送信し、移動機（＃１）１１１からの所定の信号に対しては、関門交換機（＃１）１４１の交換機ＩＤを送信する。
【００７９】
加入者交換機（＃０）１３０は、関門交換機の交換機ＩＤを受信すると、移動機（＃０）１１０及び移動機（＃１）１１１について、移動機ＩＤ、当該移動機の通信相手となるＩＳＰサーバ１５０のＡＰＮ、当該ＩＳＰサーバ１５０に対応して選択された関門交換機の交換機ＩＤを対応付けたプロファイルを作成する（手順（２））。
【００８０】
同様に、加入者交換機（＃１）１３１は、関門交換機の交換機ＩＤを受信すると、移動機（＃２）１１２について、移動機ＩＤ、当該移動機の通信相手となるＩＳＰサーバ１５０のＡＰＮ、当該ＩＳＰサーバ１５０に対応して選択された関門交換機の交換機ＩＤを対応付けたプロファイルを作成する（手順（２））。
【００８１】
次に、加入者交換機（＃０）１３０は、作成したプロファイルに基づいて、関門交換機（＃０）１４０及び関門交換機（＃１）１４１との間にパスを設定する。同様に、加入者交換機（＃１）１３１は、作成したプロファイルに基づいて、関門交換機（＃０）１４０との間にパスを設定する。
【００８２】
これらパス設定の情報は、関門交換機（＃０）１４０及び関門交換機（＃１）１４１へ送られる。関門交換機（＃０）１４０は、パス決定の情報に基づいて、移動機（＃０）１１０及び移動機（＃１）１１１の移動機ＩＤと、これら移動機（＃０）１１０及び移動機（＃１）１１１に払い出されたＩＰアドレスとを対応付けたテーブルを作成する。同様に、関門交換機（＃１）１４１は、パス決定の情報に基づいて、移動機（＃２）１１２移動機ＩＤと、当該移動機（＃２）１１２に払い出されたＩＰアドレスとを対応付けたテーブルを作成する。
【００８３】
次に関門交換機（＃０）１４０及び関門交換機（＃１）１４１は、移動機ＩＤと当該移動機ＩＤに対応する移動機による通信用として選択された関門交換機の交換機ＩＤとをＩＳＰサーバ１５０へ通知する（手順（４））。ＩＳＰサーバ１５０は、この通知に基づき、移動機ＩＤと当該移動機ＩＤに対応する移動機による通信用として選択された関門交換機の交換機ＩＤとを対応付けたテーブルを生成する。
【００８４】
また、関門交換機（＃０）１４０及び関門交換機（＃１）１４１は、パスが設定されると、その旨を移動機（＃０）１１０〜移動機（＃２）１１２へ通知する（手順（５））。以上の動作により、移動機（＃０）１１０〜移動機（＃２）１１２とＩＳＰサーバ１５０との通信が可能となる。
【００８５】
図１１は、同期ラウンドロビン方式を採用した場合の着信手順の一例を示す図である。ＩＳＰサーバ１５０は、予め認識している関門交換機（＃０）１４０及び関門交換機（＃１）１４１の選択比率（２；１）に従い、関門交換機（＃０）１４０又は関門交換機（＃１）１４１に対し、発信時に所定の信号を送出する（手順（０））。なお、必ずしも、ＩＳＰサーバ１５０は、関門交換機（＃０）１４０及び関門交換機（＃１）１４１の選択比率を予め認識しておき、その選択比率に従って所定の信号を送出する必要はなく、適宜、関門交換機（＃０）１４０又は関門交換機（＃１）１４１に対し、所定の信号を送出してもよい。
【００８６】
この所定の信号には、当該ＩＳＰサーバ１５０のＡＰＮが含まれる。関門交換機（＃０）１４０又は関門交換機（＃１）１４１は、受信した所定の信号を加入者交換機（＃０）１３０を介して、ＩＳＰサーバ１５０の通信相手となる移動機（＃０）１１０〜移動機（＃２）１１２の何れかへ送出する。
【００８７】
この所定の信号を受信した移動機（＃０）１１０〜移動機（＃２）１１２の何れかは、当該所定の信号に含まれるＡＰＮを含んだ信号を関門交換機解決サーバ１７０へ送出する。以降の動作は、図１０に示した発信手順における手順（１）〜手順（５）と同様である。
【００８８】
なお、ＩＳＰサーバ１５０が移動機ＩＤと移動機払い出しＩＰアドレスとを管理している場合には、ＩＳＰサーバ１５０は、障害検出後、これら管理している移動機ＩＤ移動機払い出しＩＰアドレスとを関門交換機（＃１）１４１へ通知する。一方、ＩＳＰサーバ１５０が移動機ＩＤと移動機払い出しＩＰアドレスとを管理していない場合には、関門交換機（＃０）１４０がこれら移動機ＩＤと移動機払い出しＩＰアドレスとを関門交換機（＃１）１４１へ通知する。また、ＩＳＰサーバ１５０が移動機ＩＤのみを管理している場合には、再度、移動機にＩＰアドレスを払い出す必要があるため、上述の着信手順と同様の手順により、ＩＳＰサーバ１５０が移動機払い出しＩＰアドレスを含めた信号を移動機へ送信するようにして、移動機払い出しＩＰアドレスを再度設定するようにしても良い。
【００８９】
同期ラウンドロビン方式を採用した場合の障害発生時の通信経路切り替え手順は、図８及び図９に示した非同期ラウンドロビン方式を採用した場合の障害発生時の通信経路切り替え手順と同様であるので、その説明は省略する。
【００９０】
このように、本実施形態の移動通信システムでは、代表選択方式、非同期ラウンドロビン方式及び同期ラウンドロビン方式により、加入者交換機から各関門交換機を介して情報提供サーバに至る複数の伝送路の状況に応じて、関門交換機を選択し、当該関門交換機を介する通信経路を設定する。従って、これら複数の伝送路の何れかにおいて障害が発生した場合においても、移動機が情報を取得することが可能となる。
【００９１】
なお、上述した実施形態では、情報提供サーバとしてＩＳＰサーバ１５０を用いたが、企業ＬＡＮに接続されたサーバ等、他のサーバを用いた場合にも本発明を適用可能である。
【発明の効果】
上述の如く、本願発明は、加入者交換機から各関門交換機を介して情報提供サーバに至る複数の伝送路の状況に応じて通信経路を設定することができる。従って、これら複数の伝送路の何れかにおいて障害が発生した場合においても、移動機が情報を取得することが可能となる。
【図面の簡単な説明】
【図１】移動通信システムの構成例を示す図である。
【図２】代表選択方式を採用した場合の発信手順の一例を示す図である。
【図３】代表選択方式を採用した場合の着信手順の一例を示す図である。
【図４】代表選択方式を採用した場合の障害発生時の通信経路切り替え手順の一例の前段を示す図である。
【図５】代表選択方式を採用した場合の障害発生時の通信経路切り替え手順の一例の後段を示す図である。
【図６】非同期ラウンドロビン方式を採用した場合の発信手順の一例を示す図である。
【図７】非同期ラウンドロビン方式を採用した場合の着信手順の一例を示す図である。
【図８】非同期ラウンドロビン方式を採用した場合の障害発生時の通信経路切り替え手順の一例の前段を示す図である。
【図９】非同期ラウンドロビン方式を採用した場合の障害発生時の通信経路切り替え手順の一例の後段を示す図である。
【図１０】同期ラウンドロビン方式を採用した場合の発信手順の一例を示す図である。
【図１１】同期ラウンドロビン方式を採用した場合の着信手順の一例を示す図である。
【図１２】従来の移動通信システムの構成例を示す図である。
【符号の説明】
１１０、１１１、１１２  移動機
１２０、１２１  無線アクセスＮＷ
１３０、１３１  加入者交換機
１４０、１４１  加入者交換機
１５０  ＩＳＰサーバ
１６０  インターネット
１７０  関門交換機解決サーバ
【図１】
0004095258.tif 000002
【図２】
0004095258.tif 000003
【図３】
0004095258.tif 000004
【図４】
0004095258.tif 000005
【図５】
0004095258.tif 000006
【図６】
0004095258.tif 000007
【図７】
0004095258.tif 000008
【図８】
0004095258.tif 000009
【図９】
0004095258.tif 000010
【図１０】
0004095258.tif 000011
【図１１】
0004095258.tif 000012
【図１２】
0004095258.tif 000013